(57)【要約】      （修正有）【課題】簡易型で小型、軽量で侵入の検知のみを記録、確認できる装置を提供する。【解決手段】装置は、プリント基板上に配置された侵入検出手段である人感センサー１と、記憶及び制御手段であるマイクロコンピューターと、表示手段であるＬＥＤ５、６と、確認操作手段であるスイッチ７と、電源とからなる。人感センサーが人の侵入を検知すると、その情報をマイクロコンピューターの記憶部に記録する。情報が記録されているときにスイッチを押すと、ＬＥＤが点灯する。【選択図】図１
0003179091.tif 000002
【実用新案登録請求の範囲】
【請求項１】
人感センサーやマイクロコンピューターに供給する電源と侵入検出手段である人感センサーと記憶及び制御手段であるマイクロコンピューターと表示手段であるＬＥＤと確認操作手段であるスイッチとから構成され、人の侵入の記録、呼び出し確認を行うことを特徴とした侵入確認装置。
【請求項２】
プリント基板の上に人感センサー、マイクロコンピューター、ＬＥＤ、スイッチを配置し小型化したことを特徴とする請求項１の侵入確認装置。
【請求項３】
電源スイッチをＯＮしてから一定時間は、自分が検知されたのを記録しないようマイクロコンピューターの制御により行い、その間は点灯表示して認識できるようにＬＥＤを設けたことを特徴とする請求項１の侵入確認装置。
【考案の詳細な説明】
【技術分野】
【０００１】    本考案は、人感センサーを用いて人の侵入を検知すると共にマイクロコンピューターに侵入の検知を記録し、後に記録を呼び出し確認することで侵入の有無を確認することが出来る侵入確認装置に関する。
【背景技術】
【０００２】    従来の人感センサーを用いた装置は、侵入の記録を録画、録音するものはあるが、侵入の検知のみを記録するものは無い。
【先行技術文献】
【特許文献】
【０００３】    侵害防除方法及びシステム並びに装置として、例えば特許公開２００６−２６０５８５に記載されているようなものがある。
【考案の概要】
【考案が解決しようとする課題】
【０００４】しかしながら、従来は上記特許文献のように、侵入の記録を録画、録音の蓄積するものはあるが、侵入の検知のみを記録、確認するものは無い。簡易型で小型、軽量で侵入の検知のみを記録、確認したいという課題がある。
【課題を解決するための手段】
【０００５】    この課題を達成する為、本考案装置は、プリント基板上に配置された人感センサーによる侵入検出手段とマイクロコンピューターによる記憶及び制御手段と、ＬＥＤ（発光ダイオード）による表示手段とスイッチによる確認操作手段と電源手段とからなる侵入確認装置。
【考案の効果】
【０００６】    上記手段及び構成による本考案によれば、侵入検出手段の人感センサーで検知した情報は、記憶及び制御手段のマイクロコンピューターに記録され、後に侵入の有無を確認するため、確認操作手段のスイッチを押すことにより、侵入の記録を呼び出し、表示手段のＬＥＤで表示し確認することが出来る。
【図面の簡単な説明】
【０００７】
【図１】本考案の一実施例を示す侵入確認装置の正面図
【図２】本考案の一実施例を示す侵入確認装置の側面図
【図３】本考案の一実施例を示す侵入確認装置の平面図
【図４】本考案の一実施例を示す侵入確認装置の回路図
【図５】本考案の一実施例を示す侵入確認装置の人感センサーのブロック図
【図６】本考案の一実施例を示す侵入確認装置のプリント基板実装図
【考案を実施するための形態】
【実施例】
【０００８】    以下、本考案を具体化した実施例を図１から図６を参照にして説明する。プリント基板１４のほぼ中央部に侵入検出手段である人感センサー１が取り付けられ、その出力は記憶及び制御手段であるマイクロコンピューター２１の入力端子に接続され人感センサー１が人の侵入を検知するとその情報をマイクロコンピューター２１の記憶部（メモリー）に記録する。あとで人の侵入を確認したいときはマイクロコンピューター２１の入力端子に接続された、確認操作手段である確認スイッチ４を押すと、接点はｄからｅ側となりマイクロコンピューター２１は、記憶部（メモリー）の情報を呼び出し、侵入の情報記録が有る時は、マイクロコンピューター２１の出力端子に接続された抵抗▲２▼２０を通して、表示手段であるＬＥＤ▲２▼６を点灯する。侵入の情報記録が無い時は点灯しない。またマイクロコンピューター２１の出力端子に接続された抵抗▲１▼１９を通して、表示手段であるＬＥＤ▲１▼５を点灯する。マイクロコンピューター２１は、入力端子に接続され人感センサー１の人の侵入検知情報を、電源スイッチ７をＯＮしてから一定時間及び確認スイッチ４を接点ｄからｅ側に押したときから一定時間前の期間は、記憶部（メモリー）に記録しない。電源スイッチ７を押してから自分が離れる間と、確認スイッチ４を押すために自分が近づくとき、人感センサー１の自分の侵入検知情報を記憶部（メモリー）に記録しないためである。また電源スイッチ７をＯＮしてからの一定時間は、ＬＥＤ▲１▼５を点灯させて表示し認識しやすくする。マイクロコンピューター２１及び人感センサー１への電源は、電源スイッチ７をＯＮにすると、電池▲１▼９、電池▲２▼１０電池▲３▼１１、電池▲４▼１２からの電源が供給される。外部電源端子１５は、電池以外の電源を使用のとき外部より電源が供給される。プリント基板１上にはその他、定電圧電源ＩＣ（３端子レギュレーター）１８及びコンデンサー▲１▼１６、コンデンサー▲２▼１７により、定電圧電源を形成する。電池ボックス８は任意の方法で蓋が開閉され電池の取り出しが可能とする。ケース３は、ほぼ中心部に円形の穴があき、人感センサー１が貫通する。カバー２は人感センサー１の側面をカバーするものである。ケース３、プリント基板１４、電池ボックス８、裏蓋１３の各構成部は接着、ネジ、勘合等任意の方法で結合して一体となしたものである。このようにして簡易型で小型、軽量で侵入の検知を記録、確認する侵入確認装置とすることができる。ＬＥＤ▲１▼５とＬＥＤ▲２▼６は、色分けすると識別しやすくてよい。また２色ＬＥＤを使うと一個のＬＥＤにすることも出来る。マイクロコンピューター２１による制御はプログラムソフトによるものであり、入力端子の検出や記憶部（メモリー）への記録や、呼び出しや、ＬＥＤ点灯の出力端子のコントロールなどを行う。ピン配置や、ピン数は実施例に限定されるものではない。スイッチ及びＬＥＤの取り付け位置は、プリント基板１４上に設置すると小型にできる。人感センサー１はマルチレンズ２２、光学フィルター２３、焦電素子２４で構成され、本実施例では、内部に増幅回路２５、コンパレーター／出力回路２６、安定化電源回路２７を装備したものを使��したが、これに限定されるものではなく増幅回路やコンパレーター／出力回路をプリント基板１４上に設けた方法でも良い。
【符号の説明】
【０００９】１  人感センサー
２  カバー
３  ケース
４  確認スイッチ
５  ＬＥＤ▲１▼
６  ＬＥＤ▲２▼
７  電源スイッチ
８  電池ボックス
９  電池▲１▼
１０  電池▲２▼
１１  電池▲３▼
１２  電池▲４▼
１３  裏蓋
１４  プリント基板
１５  外部電源端子
１６  コンデンサー▲１▼
１７  コンデンサー▲２▼
１８  定電圧電源ＩＣ（３端子レギュレーター）
１９  抵抗▲１▼
２０  抵抗▲２▼
２１  マイクロコンピューター
２２  マルチレンズ
２３  光学フィルター
２４  焦電素子
２５  増幅回路
２６  コンパレーター／出力回路
２７  安定化電源回路
【図１】
0003179091.tif 000003
【図２】
0003179091.tif 000004
【図３】
0003179091.tif 000005
【図４】
0003179091.tif 000006
【図５】
0003179091.tif 000007
【図６】
0003179091.tif 000008
【手続補正書】
【提出日】平成24年7月26日(2012.7.26)
【手続補正１】
【補正対象書類名】実用新案登録請求の範囲
【補正対象項目名】全文
【補正方法】変更
【補正の内容】
【実用新案登録請求の範囲】
【請求項１】
電源と侵入検出手段である人感センサーと記憶及び制御手段であるマイクロコンピューターと表示手段であるＬＥＤと確認操作手段であるスイッチとから構成され、電源は人感センサー及びマイクロコンピューター等に供給され、人感センサーの出力はマイクロコンピューターの入力端子に接続され、人の侵入を検知するとその情報をマイクロコンピューターの記憶部（メモリー）に記録し、人の侵入記録を確認したいときはマイクロコンピューターの入力端子に接続された、確認操作手段であるスイッチを押すと、マイクロコンピューターは、記憶部（メモリー）の情報を呼び出し、侵入の情報記録が有る時は、マイクロコンピューターの出力端子に接続された表示手段であるＬＥＤを点灯するようになし、人の侵入の記録、呼び出し確認を行うことを特徴とした侵入確認装置。
【請求項２】
プリント基板の上に人感センサー、マイクロコンピューター、ＬＥＤ、スイッチを配置し小型化したことを特徴とする請求項１の侵入確認装置。
【請求項３】
電源スイッチをＯＮしてから一定時間は、自分が検知されたのを記録しないようマイクロコンピューターの制御により行い、その間は点灯表示して認識できるようにＬＥＤを設けたことを特徴とする請求項１の侵入確認装置。